(57)【要約】  【課題】より安価な構成でローミング通信システムを構築できる技術を提供する。  【解決手段】内線移動端末４ｉと無線通信するための無線基地局３ｉを収容する、少なくとも１台の無線基地局ＩＦ部１２と、ディジタル公衆網５を介して他のＰＢＸ１ｉと通信するためのディジタル回線ＩＦ部１３と、無線基地局ＩＦ部１２およびディジタル回線ＩＦ部１３間の接続、切断を行う通話路スイッチ部１４と、無線基地局ＩＦ部１２、ディジタル回線ＩＦ部１３、および通話スイッチ部１４を制御する主制御部１６と、を備える。主制御部１６は、呼制御メッセージを利用してローミング情報を他のＰＢＸ１ｉと送受する。【選択図】図２
2008219666.tif 000002
【特許請求の範囲】
【請求項１】
ローミング機能を備えた交換機であって、
無線移動端末と無線通信するための無線基地局を収容する、少なくとも１台の無線基地局インターフェースと、
公衆網を介して他の交換機と通信するための回線インターフェースと、
前記無線基地局インターフェースおよび前記回線インターフェース間の接続、切断を行う通話路スイッチと、
前記無線基地局インターフェース、前記回線インターフェース、および前記通話スイッチを制御する主制御部と、を備え、
前記主制御部は、
呼制御メッセージを利用してローミング情報を前記他の交換機と送受する
ことを特徴とする交換機。
【請求項２】
請求項１に記載の交換機であって、
前記主制御部は、
呼設定メッセージを利用してローミング要求を前記他の交換機と送受し、且つ解放メッセージを利用してローミング応答を前記他の交換機と送受する
ことを特徴とする交換機。
【請求項３】
請求項２に記載の交換機であって、
前記他の交換機が収容する無線移動端末であって、自交換機が収容する前記無線基地局と無線通信可能な無線移動端末を記憶するビジタ移動端末記憶部をさらに有し、
前記主制御部は、
前記無線基地局インターフェースを介して受信した位置登録要求の送信元無線移動端末が前記ビジタ移動端末記憶部に記憶されている場合、呼設定メッセージを利用して当該送信元移動端末のローミング要求を前記他の交換機に送信し、解放メッセージを利用して当該ローミング要求に対するローミング応答を前記他の交換機から受信する
ことを特徴とする交換機。
【請求項４】
請求項２又は３に記載の交換機であって、
自交換機が収容する無線移動端末のローミング先を記憶するローミング先記憶部をさらに有し、
前記主制御部は、
前記呼設定メッセージを利用して前記他の交換機から移動端末のローミング要求を受信した場合、前記ローミング先記憶部に記憶されている当該移動端末のローミング先が前記他の交換機であるか否かを調べ、前記他の交換機である場合は、解放メッセージを利用して当該ローミング要求に対するローミング応答「ＯＫ」を前記他の交換機に送信し、前記他の交換機でない場合は、解放メッセージを利用して当該ローミング要求に対するローミング応答「ＮＧ」を前記他の交換機に送信する
ことを特徴とする交換機。
【請求項５】
請求項１に記載の交換機であって、
前記主制御部は、
呼設定メッセージを利用してローミングデータ整合要求を前記他の交換機と送受し、且つ解放メッセージを利用してローミングデータ整合結果を前記他の交換機と送受する
ことを特徴とする交換機。
【請求項６】
請求項５に記載の交換機であって、
前記他の交換機が収容する無線移動端末であって、自交換機が収容する前記無線基地局と無線通信可能な無線移動端末を記憶するビジタ移動端末記憶部をさらに有し、
前記主制御部は、
前記ビジタ移動端末記憶部に記憶されている移動端末のローミングデータ整合要求を、呼設定メッセージを利用して前記他の交換機に送信し、解放メッセージを利用して当該ローミングデータ整合要求に対するローミングデータ整合結果を前記他の交換機から受信する
ことを特徴とする交換機。
【請求項７】
請求項５又は６に記載の交換機であって、
自交換機が収容する無線移動端末のローミング先を記憶するローミング先記憶部をさらに有し、
前記主制御部は、
前記呼設定メッセージを利用して前記他の交換機から移動端末のローミングデータ整合要求を受信した場合、前記ローミング先記憶部に記憶されている当該移動端末のローミング先が前記他の交換機であるか否かを調べ、前記他の交換機である場合は、解放メッセージを利用して当該ローミングデータ整合要求に対するローミングデータ整合結果「ＯＫ」を前記他の交換機に送信し、前記他の交換機でない場合は、解放メッセージを利用して当該ローミングデータ整合要求に対するローミング整合結果「ＮＧ」を前記他の交換機に送信する
ことを特徴とする交換機。
【請求項８】
ディジタル公衆網を介して互いに接続された請求項１乃至７のいずれか一項に記載の複数の交換機と、
前記複数の交換機にいずれかに収容された複数の無線基地局と、
前記複数の交換機のいずれかに収容された複数の移動端末と、を有する
ことを特徴とする内線移動端末システム。
【請求項９】
交換機のローミング制御方法であって、
移動端末を収容する交換機であるホーム交換機と、公衆網を介して前記ホーム交換機と接続された、当該移動端末のローミング先の交換機であるビジタ交換機との間で、呼制御メッセージを利用してローミング情報を送受する
ことを特徴とする交換機のローミング制御方法。
【発明の詳細な説明】
【技術分野】
【０００１】
本発明は、交換機のローミング制御技術に関する。
【背景技術】
【０００２】
特許文献１には、携帯電話、自営ＰＨＳ電話および無線ＬＡＮ電話の機能を備えた端末装置を用いて企業内線電話網を構築することができる移動電話内線システムが開示されている。このシステムでは、各端末装置の位置情報を示す位置情報管理表を格納したデータベースが接続された位置管理サーバをＩＰ網に設けている。位置管理サーバは、発信先の端末装置の位置情報に基づいて最適な通信経路を求めることにより、構内交換機を介した自営ＰＨＳ網と無線ＩＰ網を用いたＩＰ網との間のローミングを実現している。
【０００３】
また、特許文献２には、交換機間の網制御を共通線信号方式とサービス総合ディジタル網ＩＳＤＮの信号方式の両方で行う交換網において、移動体通信機のローミング制御を行うローミング制御システムが開示されている。このシステムでは、共通線信号で規定された通信規約に則ったローミング制御用メッセージフォーマットに、サービス総合ディジタル網で規定されたローミング制御用メッセージを埋め込んでローミングの制御を行う。
【０００４】
【特許文献１】特開２００６−８０９４９号公報
【特許文献２】特開２００２−３５４５２９号公報
【発明の開示】
【発明が解決しようとする課題】
【０００５】
特許文献１に記載の移動電話内線システムでは、専用の位置管理サーバをＩＰ網に設ける必要があり、このためコストが嵩む。また、特許文献２に記載のローミング制御システムでは、通信回線とは別に、ローミング制御用の専用線（共通線信号の信号回線）を設ける必要があり、このためコストが嵩む。
【０００６】
本発明は上記事情に鑑みてなされたものであり、本発明の目的は、より安価な構成でローミング通信システムを構築できる技術を提供することにある。
【課題を解決するための手段】
【０００７】
上記課題を解決するために、本発明では、呼制御メッセージを利用してローミング情報を交換機間で交換する。
【０００８】
例えば、本発明は、ローミング機能を備えた交換機であって、
無線移動端末と無線通信するための無線基地局を収容する、少なくとも１台の無線基地局インターフェースと、
公衆網を介して他の交換機と通信するための回線インターフェースと、
前記無線基地局インターフェースおよび前記回線インターフェース間の接続、切断を行う通話路スイッチと、
前記無線基地局インターフェース、前記回線インターフェース、および前記通話スイッチを制御する主制御部と、を備え、
前記主制御部は、
呼制御メッセージを利用してローミング情報を前記他の交換機と送受する。
【発明の効果】
【０００９】
本発明によればローミング制御に呼制御メッセージを利用している。このため、公衆網等の通信回線とは別に、ローミング制御のための専用サーバおよび専用線を設ける必要がない。したがって、より安価な構成でローミング通信システムを構築できる。
【発明を実施するための最良の形態】
【００１０】
以下、本発明の実施の形態を説明する。
【００１１】
図１は、本発明の一実施の形態が適用された内線移動端末システムの概略図である。
【００１２】
図示するように、本実施の形態の内線移動端末システムは、ディジタル公衆網５を介して相互接続された複数のＰＢＸ（Ｐｒｉｖａｔｅ  Ｂｒａｎｃｈ  Ｅｘｃｈａｎｇｅ）１ｉ（但し、ｉ＝１〜ｎ）と、各ＰＢＸ１ｉに収容された少なくとも１台の内線端末２ｉおよび内線移動端末４ｉと、各ＰＢＸ１ｉに接続された少なくとも１台の無線基地局３ｉと、を有する。なお、図１ではｎが２の場合を例示しているが、ｎは３以上であってもよい。また、内線端末２ｉを収容していないＰＢＸ１ｉがあってもよい。
【００１３】
ＰＢＸ１ｉは、自装置に接続する少なくとも１台の無線基地局３ｉと連携して、自装置が管轄する無線通信エリア（ゾーン）６ｉを形成している。そして、自装置が管轄する無線通信エリア６ｉに位置する内線移動端末４ｉと通信する。また、ＰＢＸ１ｉは、ローミング機能を有しており、自装置が収容する内線移動端末４ｉ以外の内線移動端末４ｊ（但し、i≠ｊかつｊ＝１〜ｎ）とも、ローミング接続により通信可能である。
【００１４】
内線移動端末４ｉは、ローミング機能を有するＰＨＳ電話機、携帯電話機等の移動体端末で構成され、自端末が位置している無線通信エリア（ゾーン）を介してＰＢＸと通信する。なお、自端末が位置している無線通信エリアが、自端末を収容するＰＢＸが形成している無線通信エリア６ｉである場合に、この無線通信エリア６ｉを自端末のホームゾーンと呼び、このホームゾーンを形成しているＰＢＸ１ｉをホームＰＢＸと呼ぶ。また、自端末を収容するＰＢＸ１ｉが形成している無線通信エリア６ｉでない場合に、この無線通信エリアを自端末のビジタゾーンと呼び、このビジタゾーンを形成しているＰＢＸをビジタＰＢＸと呼ぶ。
【００１５】
次に、ＰＢＸ１ｉについてより詳細に説明する。なお、内線端末２ｉ、内線移動端末４ｉおよび無線基地局３ｉは、既存の内線端末、ローミング機能付内線移動端末、および無線基地局と同様であるので、その詳細な説明を省略する。
【００１６】
図２は、ＰＢＸ１ｉの概略構成図である。
【００１７】
図示するように、ＰＢＸ１ｉは、少なくとも一つの内線端末ＩＦ部１１と、少なくとも一つの無線基地局ＩＦ部１２と、ディジタル回線ＩＦ部１３と、通話路スイッチ部１４と、記憶部１５と、主制御部１６と、を有する。
【００１８】
内線端末ＩＦ部１１は、内線端末２ｉと接続するためのインターフェースである。なお、自装置１ｉが内線端末２ｉを収容しない場合は、内線端末ＩＦ部１１を省略してもよい。
【００１９】
無線基地局ＩＦ部１２は、無線基地局３ｉと接続するためのインターフェースである。
【００２０】
ディジタル回線ＩＦ部１３は、ディジタル公衆網５に接続するためのインターフェースである。
【００２１】
通話路スイッチ部１４は、主制御部１６の制御により、時分割によりスイッチ制御を行って、内線端末ＩＦ部１１、無線基地局ＩＦ部１２、およびディジタル回線ＩＦ部１３の相互接続、切断等を行う。
【００２２】
記憶部１５には、主制御部１６での処理に必要な情報が記憶されている。図示するように、記憶部１５は、内線番号管理ＴＬ（テーブル）１５１と、ローミング制御データ１５２と、位置登録管理ＴＬ１５３と、ローミング先管理ＴＬ１５４と、ビジタ管理ＴＬ１５５と、を有する。
【００２３】
内線番号管理ＴＬ１５１には、内線番号毎に、その内線種別が登録される。図３（Ａ）は、内線番号管理ＴＬ１５１を模式的に表した図である。図示するように、内線番号管理ＴＬ１５１は、内線番号毎にレコード１５１０を有する。レコード１５１０は、内線番号（ｎｕｍｂｅｒ）を登録するフィールド１５１１と、内線種別（ｋｉｎｄ）を登録するフィールド１５１２と、を有する。
【００２４】
フィールド１５１１には、自装置１ｉが収容する内線端末２ｉ、自装置１ｉが収容する内線移動端末（ホーム移動端末と呼ぶ）３ｉ、および自装置１ｉ以外のＰＢＸ１ｊが収容する内線移動端末４ｊであって自装置１ｉのローミングサービスを受けることができる内線移動端末（ビジタ移動端末と呼ぶ）３ｊのいずれかの内線番号が登録される。また、フィールド１５１２には、フィールド１５１１に登録されている内線番号を持つ端末の内線種別（内線端末（一般内線、多機能電話機、ＦＡＸ等）、ホーム移動端末、ビジタ移動端末等）が登録される。
【００２５】
ローミング制御データ１５２は、ホームＰＢＸおよびビジタＰＢＸ間でローミングの整合性をとるための制御データである。図３（Ｂ）は、ローミング制御データ１５２を模式的に表した図である。図示するように、ローミング制御データ１５２は、ローミング応答の待ち時間を規定するローミング応答待ちタイマ（ｒａｎｓｔｉｍ）１５２１と、ホームＰＢＸおよびビジタＰＢＸ間でローミングデータの整合性をチェックする周期を規定するローミングデータ整合性チェック周期（ｄｂｃｈｋｔｉｍ）１５２２と、ホームＰＢＸおよびビジタＰＢＸ間でローミングデータの整合性チェックに異常があった場合のローミングデータの再送回数を規定するローミングデータ整合異常再送回数（ｄｂｃｈｋｒｔｉｍ）１５２３と、ホームＰＢＸおよびビジタＰＢＸ間でローミングデータの整合性チェックに異常があった場合のローミングデータの再送タイミングを規定するローミングデータ整合異常再送タイミング（ｄｂｃｈｋｃｎｔ）１５２４と、を有する。
【００２６】
ローミングデータ整合性チェック周期１５２２は、例えば１０分に初期設定され、１０〜１２０分の間で変更可能である。ローミングデータ整合異常再送回数１５２３は、例えば３回に初期設定され、０〜３回の間で変更可能である。ローミングデータ整合異常再送タイミング１５２４は、例えば１分に初期設定され、０〜５分の間で変更可能である。
【００２７】
位置登録管理ＴＬ１５３には、内線移動端末４ｉ毎に、その内線移動端末４ｉの位置情報が登録される。図３（Ｃ）は、位置登録管理ＴＬ１５３を模式的に表した図である。図示するように、位置登録管理ＴＬ１５３は、内線移動端末４ｉ毎にレコード１５３０を有する。レコード１５３０は、内線番号（ｎｕｍｂｅｒ）を登録するフィールド１５３１と、位置登録フラグ（ｒｆｌｇ）を登録するフィールド１５３２と、位置情報（ｉｔｉｉｎｆ）を登録するフィールド１５３３と、を有する。
【００２８】
フィールド１５３１には、内線移動端末４ｉの内線番号が登録される。また、フィールド１５３２には、フィールド１５３１に登録されている内線番号を持つ内線移動端末４ｉが位置登録済みであるか否かを示す識別フラグ（位置登録フラグ）が登録される。そして、フィールド１５３３には、フィールド１５３１に登録されている内線番号を持つ内線移動端末４ｉが位置登録済みである場合に、その位置情報（ホームＰＢＸの局線番号、グループ番号、呼出エリア番号等）が登録される。
【００２９】
ローミング先管理ＴＬ１５４には、自装置１ｉが収容するローミング中の内線移動端末４ｉ毎に、ローミング先の情報が登録される。図３（Ｄ）は、ローミング先管理ＴＬ１５４を模式的に表した図である。図示するように、ローミング先管理ＴＬ１５４は、自装置１ｉが収容するローミング中の内線移動端末４ｉ毎にレコード１５４０を有する。レコード１５４０は、内線番号（ｎｕｍｂｅｒ）を登録するフィールド１５４１と、ローミング先電話番号（ｒｐｓｄｉａｌ）を登録するフィールド１５４２と、を有する。ここで、フィールド１５４２に登録されるローミング先電話番号は、ビジタＰＢＸの局線番号に、フィールド１５４１に登録されている内線移動端末４ｉの内線番号を繋げた番号である。
【００３０】
ビジタ管理ＴＬ１５５は、自装置１ｉの無線通信エリア６ｉに位置しているビジタ移動端末毎に、このビジタ移動端末のホームＰＢＸに関する情報が登録される。図３（Ｅ）は、ビジタ管理ＴＬ１５５を模式的に表した図である。図示するように、ビジタ管理ＴＬ１５５は、自装置１ｉの無線通信エリア６ｉに位置しているビジタ移動端末毎にレコード１５５０を有する。レコード１５５０は、内線番号（ｎｕｍｂｅｒ）を登録するフィールド１５５１と、ホームＰＢＸの電話番号（ｈｐｂｘｄｉａｌ）を登録するフィールド１５５２と、を有する。
【００３１】
図２に戻って説明を続ける。主制御部１６は、自装置１ｉの各部１１〜１５を統括的に制御して、内線端末ＩＦ部１１、無線基地局ＩＦ部１２、およびディジタル回線ＩＦ部１３間のスイッチング制御を行う。また、内線移動端末４ｉにローミングサービスを提供するために必要な処理を行う。
【００３２】
なお、本実施の形態では、ホームＰＢＸおよびビジタＰＢＸ間におけるローミング情報の送受に呼制御メッセージを利用している。
【００３３】
図４（Ａ）は、ローミング要求、データ整合要求の通信フォーマットを模式的に表した図である。図示するように、ローミング要求、データ整合要求には、呼設定メッセージが利用される。
【００３４】
呼設定メッセージは、プロトコル識別子１６０１、呼番号１６０２、メッセージ種別１６０３、伝達能力１６０４、チャネル識別子１６０５、発番号１６０６、発サブアドレス１６０７、着番号１６０８、およびユーザ・ユーザ１６０４を有する。
【００３５】
ここで、メッセージ種別１６０３には、呼設定メッセージであることを示す情報が記述される。また、発番号１６０６にはビジタＰＢＸの局線番号が記述され、発サブアドレス１６０７にはビジタ移動端末の内線番号が記述され、着番号１６０８にはホームＰＢＸの局線番号が記述され、そして、ユーザ・ユーザ１６０９には、ローミング要求またはデータ整合要求を行うための独自情報として次のローミング情報群が記述される。
【００３６】
ローミング情報群は、情報要素識別子１６０９１、内容長１６０９２、プロトコル識別子１６０９３、独自機能番号１６０９４、およびフラグ１６０９５を有する。
【００３７】
ここで、プロトコル識別子１６０９３には、ユーザ特有のプロトコルであることを示す情報が記述され、独自機能番号１６０９４には、ローミングであることを示す情報が記述され、そして、フラグ１６０９５には、ローミング要求またはデータ整合要求であることを示す情報が記述される。
【００３８】
図４（Ｂ）は、ローミング応答、データ整合結果の通信フォーマットを模式的に表した図である。図示するように、ローミング応答、データ整合結果には、解放メッセージが利用される。
【００３９】
解放メッセージは、プロトコル識別子１６１０、呼番号１６１１、メッセージ種別１６１２、理由表示１６１３、およびユーザ・ユーザ１６１４を有する。
【００４０】
ここで、メッセージ種別１６１２には、解放メッセージであることを示す情報が記述される。また、ユーザ・ユーザ１６１４には、ローミング応答またはデータ整合結果を行うための独自情報として次のローミング情報群が記述される。
【００４１】
ローミング情報群は、情報要素識別子１６１４１、内容長１６１４２、プロトコル識別子１６１４３、独自機能番号１６１４４、およびフラグ１６１４５を有する。
【００４２】
ここで、プロトコル識別子１６１４３には、ユーザ特有のプロトコルであることを示す情報が記述され、独自機能番号１６１４４には、ローミングであることを示す情報が記述され、そして、フラグ１６１４５には、ローミング応答またはデータ整合結果であることを示す情報およびその結果（ＯＫ／ＮＧ）が記述される。
【００４３】
図５は、ＰＢＸ１ｉの動作を説明するためのフロー図である。
【００４４】
主制御部１６は、内線端末ＩＦ部１１、無線基地局ＩＦ部１２、またはディジタル回線ＩＦ部１３から呼設定メッセージを受信すると（Ｓ１でＹＥＳ）、このメッセージのユーザ・ユーザ１６０９に記述されている情報に基づいて、この呼設定メッセージの種別を判断する（Ｓ２）。
【００４５】
受信した呼設定メッセージが、自装置１ｉの無線通信エリア６ｉに位置する内線移動端末４ｉから送られてきた位置登録要求である場合、後述する位置登録処理Ａを行う（Ｓ３）。
【００４６】
受信した呼設定メッセージが、他のＰＢＸ１ｊから送られてきたローミング要求である場合、後述する位置登録処理Ｂを行う（Ｓ４）。
【００４７】
受信した呼設定メッセージが、ディジタル公衆網５から送られてきた着呼である場合、通常の着信処理を行う（Ｓ５）。
【００４８】
受信した呼設定メッセージが、他のＰＢＸ１ｊから送られてきたデータ整合要求である場合、後述する整合チェック処理Ａを行う（Ｓ６）。
【００４９】
また、主制御部１６は、記憶部１５のローミング制御データ１５２に登録されているローミングデータ整合性チェック周期１５２２が示すタイミングになったならば（Ｓ７でＹＥＳ）、後述する整合チェック処理Ｂを行う（Ｓ８）。
【００５０】
また、主制御部１６は、内線端末ＩＦ１１または無線基地局ＩＦ部１２を介して、発信を受け付けたならば（Ｓ９でＹＥＳ）、後述する発信処理を行う（Ｓ１０）。
【００５１】
図６は、図５に示す位置登録処理Ａ（Ｓ３）を説明するためのフロー図である。
【００５２】
先ず、主制御部１６は、呼設定メッセージ（位置登録要求）の発サブアドレスに記述されている内線番号をキーにして、位置登録管理ＴＬ１５３からレコード１５３０を検索する。そして、検索したレコード１５３０のフィールド１５３２を参照して、この呼設定メッセージ送信元の内線移動端末４ｉが位置登録済みであるか否かを確認する。位置登録済みである場合は、フィールド１５３３に登録されている位置情報を参照して、この呼設定メッセージ送信元の内線移動端末４ｉがホーム移動端末であるか、それともビジタ移動端末であるかをさらに確認する（Ｓ３０１）。
【００５３】
Ｓ３０１において、呼設定メッセージ（位置登録要求）の送信元がビジタ移動端末であることを確認した場合、主制御部１６は、このビジタ移動端末に、位置登録要求受付を意味する呼設定受付メッセージを返信する。また、検索したレコード１５３０のフィールド１５３３に登録されている位置情報により特定される、この呼設定メッセージ送信元のホームＰＢＸに、ローミング要求用の呼設定メッセージを送信する（Ｓ３０２）。
【００５４】
次に、主制御部１６は、呼設定メッセージ（ローミング要求）の送信先から呼設定受付メッセージを受信し（Ｓ３０３）、その後、この呼設定メッセージの送信先からローミング応答用の解放メッセージが届くのを待つ（Ｓ３０４）。
【００５５】
Ｓ３０４において、ローミング制御データ１５２のローミング応答待ちタイマ１５２１により特定される待ち時間内に解放メッセージ（ローミング応答用）を受信した場合（Ｓ３０４でＹＥＳ）、主制御部１６は、受信した解放メッセージ（ローミング応答）のユーザ・ユーザ１６１４のフラグ１６１４５を参照し、ローミング応答がＯＫか、それともＮＧかを確認する（Ｓ３０５）。
【００５６】
ローミング応答がＯＫの場合（Ｓ３０５でＹＥＳ）、呼設定メッセージ（位置登録要求）の送信元であるビジタ移動端末に認証要求メッセージを送信すると共に、解放メッセージ（ローミング応答）の送信元に解放完了メッセージを送信する（Ｓ３０６）。そして、このビジタ移動端末から認証応答メッセージを受信したならば（Ｓ３０７）、ビジタ管理ＴＬ１５５にレコード１５５０を追加する。そして、追加したレコード１５５０のフィールド１５５１にこのビジタ移動端末の内線番号を、フィールド１５５２にこのビジタ移動端末のホームＰＢＸの電話番号を登録する（Ｓ３０８）。
【００５７】
それから、主制御部１６は、呼設定メッセージ（位置登録要求）の送信元であるビジタ移動端末に、位置登録ＯＫを意味する切断メッセージを送信する（Ｓ３０９）。そして、このビジタ移動端末から解放メッセージを受信した後（Ｓ３１０）、解放完了メッセージを返信して（Ｓ３１１）、このフローを終了する。
【００５８】
一方、Ｓ３０５において、ローミング応答がＮＧの場合（Ｓ３０５でＮＯ）、主制御部１６は、解放メッセージ（ローミング応答）の送信元に解放完了メッセージを送信し（Ｓ３１２）、その後、呼設定メッセージ（位置登録要求）の送信元であるビジタ移動端末に、位置登録ＮＧを意味する切断メッセージを送信する（Ｓ３１３）。それから、主制御部１６は、このビジタ移動端末から解放メッセージを受信した後（Ｓ３１０）、解放完了メッセージを返信して（Ｓ３１１）、このフローを終了する。
【００５９】
また、Ｓ３０４において、ローミング制御データ１５２のローミング応答待ちタイマ１５２１により特定される待ち時間内に解放メッセージ（ローミング応答）を受信しなかった場合（Ｓ３０４でＮＯ）、主制御部１６は、呼設定メッセージ（ローミング要求）の送信先に解放メッセージを送信する（Ｓ３１４）。また、主制御部１６は、呼設定メッセージ（位置登録要求）の送信元であるビジタ移動端末に、位置登録ＮＧを意味する切断メッセージを送信すると共に（Ｓ３１５）、呼設定メッセージ（ローミング要求）の送信先から解放完了メッセージを受信する（Ｓ３１６）。それから、主制御部１６は、このビジタ移動端末から解放メッセージを受信した後（Ｓ３１０）、解放完了メッセージを返信して（Ｓ３１１）、このフローを終了する。
【００６０】
また、Ｓ３０１において、呼設定メッセージ（位置登録要求）の送信元がホーム移動端末であることを確認した場合、主制御部１６は、このホーム移動端末に、位置登録要求受付を意味する呼設定受付メッセージを返信する（Ｓ３１７）。それから、主制御部１６は、このホーム移動端末に、位置登録ＯＫを意味する切断メッセージを送信する（Ｓ３０９）。そして、このホーム移動端末から解放メッセージを受信した後（Ｓ３１０）、解放完了メッセージを返信して（Ｓ３１１）、このフローを終了する。
【００６１】
また、Ｓ３０１において、呼設定メッセージ（位置登録要求）の送信元が位置登録管理ＴＬ１５３に登録されていないことを確認した場合、呼設定メッセージ（位置登録要求）の送信元に着信拒否メッセージを送信する等の所定のエラー処理を行って、呼設定メッセージ（位置登録要求）の送信元に未だ位置登録されていないことを通知する（Ｓ３１８）。
【００６２】
図７は、図５に示す位置登録処理Ｂ（Ｓ４）を説明するためのフロー図である。
【００６３】
まず、主制御部１６は、呼設定メッセージ（ローミング要求）の送信元に呼設定受付メッセージを送信する（Ｓ４０１）。
【００６４】
それから、主制御部１６は、呼設定メッセージ（ローミング要求）の発サブアドレス１６０７に記述されている内線番号をキーにして、位置登録管理ＴＬ１５３からレコード１５３０を検索する。そして、検索したレコード１５３０のフィールド１５３３に登録されている位置情報を確認する（Ｓ４０２）。
【００６５】
その結果、この内線番号を持つ内線移動端末４ｉがホーム移動端末であることを確認したならば（Ｓ４０３でＹＥＳ）、ローミング先管理ＴＬ１５４に、この呼設定メッセージの送信元をこのホーム移動端末のローミング先とするレコード１５４０を登録すると共に（Ｓ４０４）、この呼設定メッセージの送信元に、ローミング応答ＯＫを表す解放メッセージを送信する（Ｓ４０５）。一方、この内線番号を持つ内線移動端末４ｉがホーム移動端末でないことを確認したならば（Ｓ４０３でＮＯ）、この呼設定メッセージの送信元に、ローミング応答ＮＧを表す解放メッセージを送信する（Ｓ４０６）。
【００６６】
その後、主制御部１６は、呼設定メッセージ（ローミング要求）の送信元から解放完了メッセージを受信し（Ｓ４０７）、このフローを終了する。
【００６７】
図８は、図５に示す整合チェック処理Ａ（Ｓ６）を説明するためのフロー図である。
【００６８】
まず、主制御部１６は、呼設定メッセージ（データ整合要求）の送信元に呼設定受付メッセージを送信する（Ｓ６０１）。
【００６９】
それから、主制御部１６は、呼設定メッセージ（データ整合要求）の発サブアドレス１６０７に記述されている内線移動端末４ｉの内線番号をキーにして、ローミング先管理ＴＬ１５４からレコード１５４０を検索する。そして、検索したレコード１５４０のフィールド１５４２に登録されているローミング先電話番号の局線番号が、この呼設定メッセージの送信元であるＰＢＸ１ｊの局線番号と整合しているか否かをチェックする（Ｓ６０２）。その結果、整合していることを確認できたならば（Ｓ６０３でＹＥＳ）、この呼設定メッセージの送信元に、データ整合ＯＫを表す解放メッセージを送信する（Ｓ６０４）。一方、整合していない場合、あるいは、レコード１５４０の検索に失敗した場合は（Ｓ６０３でＮＯ）、データ整合ＮＧを表す解放メッセージを送信する（Ｓ６０５）。
【００７０】
その後、主制御部１６は、呼設定メッセージ（データ整合要求）の送信元から解放完了メッセージを受信し（Ｓ６０６）、このフローを終了する。
【００７１】
図９は、図５に示す整合チェック処理Ｂ（Ｓ８）を説明するためのフロー図である。
【００７２】
まず、主制御部１６は、ビジタ管理ＴＬ１５５にビジタ移動端末のレコード１５５０が登録されているか否かを確認する（Ｓ８０１）。ビジタ移動端末のレコード１５５０が登録されていない場合（Ｓ８０２でＮＯ）、このフローを終了する。一方、登録されている場合（Ｓ８０２でＹＥＳ）、主制御部１６は、このレコード１５５０のフィールド１５５２に登録されているホームＰＢＸの電話番号を着番号１６０８とし、このレコード１５５０のフィールド１５５１に登録されているビジタ移動端末の電話番号が発サブアドレス１６０７に記述された、データ整合要求用の呼設定メッセージを生成し、これをディジタル回線ＩＦ部１３から送信する（Ｓ８０３）。
【００７３】
次に、主制御部１６は、呼設定メッセージ（データ整合要求）の送信先から呼設定受付メッセージを受信し（Ｓ８０４）、続けて解放メッセージ（データ整合結果）を受信する（Ｓ８０５）。その後、解放完了メッセージを返信する（Ｓ８０６）。
【００７４】
それから、主制御部１６は、解放メッセージのユーザ・ユーザ１６１４のフラグ１６１４５に記述されているデータ整合結果がデータ整合ＯＫを示しているか否かを確認する（Ｓ８０７）。
【００７５】
データ整合結果がデータ整合ＯＫを示している場合（Ｓ８０７でＹＥＳ）、ビジタ管理ＴＬ１５５に他のビジタ移動端末のレコード１５５０があるか否かを調べ（Ｓ８１０）、あるならば（Ｓ８１０でＹＥＳ）、Ｓ８０３に戻り、このレコード１５５０のフィールド１５５２に登録されているホームＰＢＸの電話番号を着番号１６０８とし、このレコード１５５０のフィールド１５５１に登録されているビジタ移動端末の電話番号が発サブアドレス１６０７に記述された、データ整合要求用の呼設定メッセージを生成し、これをディジタル回線ＩＦ部１３から送信する。
【００７６】
一方、データ整合結果がデータ整合ＮＧを示している場合（Ｓ８０７でＮＯ）、図示していないカウンタ値を一つカウントアップし、このカウンタ値がローミング制御データ１５２のローミングデータ整合異常再送回数１５２３に記述されている再送回数以下であるならば（Ｓ８０８でＹＥＳ）、ローミング制御データ１５２のローミングデータ整合異常再送タイミング１５２４に記述されている待ち時間を経過するのを待って（Ｓ８０９）、Ｓ８０３に戻り、呼設定メッセージ（データ整合要求）を再送する。一方、カウンタ値が再送回数を越えているならば（Ｓ８０８でＮＯ）、このカウンタ値をクリアする。また、ビジタ管理ＴＬ１５５に他のビジタ移動端末のレコード１５５０があるか否かを調べ、あるならば（Ｓ８１０でＹＥＳ）、Ｓ８０３に戻り、このレコード１５５０のフィールド１５５２に登録されているホームＰＢＸの電話番号を着番号１６０８とし、このレコード１５５０のフィールド１５５１に登録されているビジタ移動端末の電話番号が発サブアドレス１６０７に記述された、データ整合要求用の呼設定メッセージを生成し、これをディジタル回線ＩＦ部１３から送信する。
【００７７】
Ｓ８１０において、ビジタ管理ＴＬ１５５に他のビジタ移動端末のレコード１５５０がない場合は（Ｓ８１０でＮＯ）、このフローを終了する。
【００７８】
図１０は、図５に示す発信処理（Ｓ１０）を説明するためのフロー図である。
【００７９】
先ず、主制御部１６は、発信元から受け付けた宛先の内線番号（着番号）をキーにして、内線番号管理ＴＬ１５１からレコード１５１０を検索する。そして、検索したレコード１５１０のフィールド１５１２を参照して、宛先の内線種別を確認する（Ｓ１００１）。
【００８０】
ここで、主制御部１６は、宛先の内線種別がホーム移動端末であるならば（Ｓ１００２でＹＥＳ）、この着番号をキーにして、ローミング先管理ＴＬ１５４にレコード１５４０が登録されているか否かを調べる。そして、登録されている場合は、このレコード１５４０のフィールド１５４２に登録されているローミング先電話番号を確認する（Ｓ１００３）。
【００８１】
また、主制御部１６は、この呼設定メッセージ送信元の内線種別がビジタ移動端末であるならば（Ｓ１００４でＹＥＳ）、この着番号をキーにして、ビジタ管理ＴＬ１５５にレコード１５５０が登録されているか否かを調べる（Ｓ１００５）。
【００８２】
それから、主制御部１６は、上記の確認結果に基づいて呼の送出元インターフェースを決定する（Ｓ１００６）。具体的には、宛先の内線種別が内線端末２ｉである場合、この内線端末を収容する内線端末ＩＦ部１１を呼の送出元インターフェースに決定する。また、宛先の内線種別が、ローミング先管理ＴＬ１５４で管理されていない（ローミング中でない）ホーム移動端末、またはビジタ管理ＴＬ１５５で管理されている（自装置の無線通信エリア６ｉに位置するローミング中の）ビジタ移動端末である場合、無線基地局ＩＦ部１２を呼の送出元インターフェースに決定する。また、宛先の内線種別が、ローミング先管理ＴＬ１５４で管理されている（ローミング中の）ホーム移動端末である場合、ディジタル回線ＩＦ部１３を呼の送出元インターフェースに決定する。
【００８３】
以上のようにして、呼の送出元インターフェースを決定したならば、このインターフェースから呼設定メッセージを送信し、呼制御手順を実行する（Ｓ１００７）。具体的には、内線端末ＩＦ部１１が呼の送出元インターフェースに決定された場合、この内線端末ＩＦ部１１より、発信元から受け付けた宛先の内線番号を着番号とする呼設定メッセージを送信して、呼制御手順を実行する。また、無線基地局ＩＦ部１２が呼の送出元インターフェースに決定された場合、無線基地局ＩＦ部１２より、発信元から受け付けた宛先の内線番号を着番号とする呼設定メッセージを送信して、呼制御手順を実行する。また、ディジタル回線ＩＦ部１３が呼の送出元インターフェースに決定された場合、発信元から受け付けた宛先の内線番号をキーにしてローミング先管理ＴＬ１５４から検索したレコード１５４０に登録されているローミング先電話番号を着番号とする呼設定メッセージを、ディジタル回線ＩＦ部１３より送信して、呼制御手順を実行する。
【００８４】
次に、図１に示す内線移動端末システムの動作例を説明する。
【００８５】
図１１は、ビジタ移動端末がビジタＰＢＸに位置登録要求を依頼した場合において、ホームＰＢＸがローミング応答した場合の動作例を説明するためのシーケンス図である。ここでは、ＰＢＸ１１をホームＰＢＸ、ＰＢＸ１２をビジタＰＢＸ、そして、移動端末４１をビジタＰＢＸ１１のビジタ移動端末（ホームＰＢＸ１２のホーム移動端末）としている。
【００８６】
ビジタ移動端末４１は、電源オンになると（Ｓ１１０）、自端末が位置する無線通信エリア６２を介して、ビジタＰＢＸ１２に位置登録要求用の呼設定メッセージを送信する（Ｓ１１１）。
【００８７】
これを受けて、ビジタＰＢＸ１２は、位置登録管理ＴＬ１５１をチェックし、ビジタ移動端末４１のホームＰＢＸ１１を確認する（Ｓ１１２）。それから、ビジタＰＢＸ１２は、ビジタ移動端末４１に呼設定受付を返信すると共に（Ｓ１１３）、ホームＰＢＸ１１にローミング要求用の呼設定メッセージを送信する（Ｓ１１４）。
【００８８】
ホームＰＢＸ１１は、ビジタＰＢＸ１２から呼設定メッセージ（ローミング要求）を受信すると、呼設定受付メッセージを返信する（Ｓ１１５）。それから、ホームＰＢＸ１１は、位置登録管理ＴＬ１５１をチェックし、ビジタ移動端末４１の内線番号が自装置のホーム移動体として管理されていることを確認し（Ｓ１１６）、この移動体４１のローミング先をローミング先管理ＴＬ１５４に登録する（Ｓ１１７）。その後、ホームＰＢＸ１１は、ローミング応答ＯＫ用の解放メッセージをビジタＰＢＸ１２に送信する（Ｓ１１８）。
【００８９】
ビジタＰＢＸ１２は、ホームＰＢＸ１１から解放メッセージ（ローミング応答ＯＫ）を受信すると、認証要求メッセージをビジタ移動端末４１に送信すると共に（Ｓ１１９）、ホームＰＢＸ１１に解放完了メッセージを送信する（Ｓ１２０）。そして、ビジタ移動端末４１から認証応答メッセージを受信したならば（Ｓ１２１）、ビジタ管理ＴＬ１５５にこのビジタ移動端末４１を登録する（Ｓ１２２）。また、位置登録ＯＫ用の切断メッセージをビジタ移動端末４１に送信する（Ｓ１２３）。それから、ビジタＰＢＸ１２は、ビジタ移動端末４１から解放メッセージを受信して（Ｓ１２４）、解放完了メッセージを返信する（Ｓ１２５）。
【００９０】
図１２は、ビジタ移動端末がビジタＰＢＸに位置登録要求を依頼した場合において、ホームＰＢＸがローミング応答しなかった場合の動作例を説明するためのシーケンス図である。ここでは、ＰＢＸ１１をホームＰＢＸ、ＰＢＸ１２をビジタＰＢＸ、そして、移動端末４１をビジタＰＢＸ１２のビジタ移動端末（ホームＰＢＸ１１のホーム移動端末）としている。
【００９１】
ビジタ移動端末４１は、電源オンになると（Ｓ１３０）、自端末が位置する無線通信エリア６２を介して、ビジタＰＢＸ１２に位置登録要求用の呼設定メッセージを送信する（Ｓ１３１）。
【００９２】
これを受けて、ビジタＰＢＸ１２は、位置登録管理ＴＬ１５３をチェックし、ビジタ移動端末４１のホームＰＢＸ１１を確認する（Ｓ１３２）。それから、ビジタＰＢＸ１２は、ビジタ移動端末４１に呼設定受付を返信すると共に（Ｓ１３３）、ホームＰＢＸ１１にローミング要求用の呼設定メッセージを送信する（Ｓ１３４）。
【００９３】
ホームＰＢＸ１１は、ビジタＰＢＸ１２から呼設定メッセージを受信すると、呼設定受付メッセージを返信する（Ｓ１３５）。ここで、受信した呼設定メッセージがローミング要求であることをホームＰＢＸ１１が認識できなかったとする。この場合、ホームＰＢＸ１１は、ローミング応答結果用の解放メッセージを送信しない。
【００９４】
さて、ビジタＰＢＸ１２は、呼設定メッセージ（ローミング要求）の送信後、ローミング制御データ１５２のローミング応答待ちタイマ１５２１に規定する待ち時間が経過するまでに、ローミング応答結果用の解放メッセージを受信しなかった場合（Ｓ１３６）、ホームＰＢＸ１１に解放メッセージを送信すると共に（Ｓ１３７）、ビジタ移動端末４１に位置登録ＮＧ用の切断メッセージを送信する（Ｓ１３８）。また、ホームＰＢＸ１１から解放完了メッセージを受信する（Ｓ１３９）。それから、ビジタＰＢＸ１２は、ビジタ移動端末４１から解放メッセージを受信し（Ｓ１４０）、解放完了メッセージを返信する（Ｓ１４１）。
【００９５】
図１３は、ホームＰＢＸが収容する内線からローミング中のホーム移動端末を呼び出す場合において、このホーム移動端末がローミング先の無線通信エリアの圏内にいる場合の動作例を説明するためのシーケンス図である。ここでは、ＰＢＸ１１をホームＰＢＸ、ＰＢＸ１２をビジタＰＢＸ、そして、移動端末４１をホームＰＢＸ１１のホーム移動端末（ビジタＰＢＸ１２のビジタ移動端末）としている。
【００９６】
ホームＰＢＸ１１は、内線からホーム移動端末４１の内線番号を受け付けると（Ｓ１５０）、内線番号管理ＴＬ１５１、位置登録管理ＴＬ１５３、ローミング先管理ＴＬ１５４をチェックし、このホーム移動端末４１がビジタＰＢＸ１２にローミング中のビジタ移動端末４１であることを確認する（Ｓ１５１）。それから、ローミング先電話番号を着番号とする呼設定メッセージをビジタＰＢＸ１２に送信する（Ｓ１５２）。
【００９７】
ビジタＰＢＸ１２は、ホームＰＢＸ１１から呼設定メッセージを受信すると、呼設定受付メッセージを返信すると共に（Ｓ１５３）、この呼設定メッセージをビジタ移動端末４１に転送する（Ｓ１５４）。そして、ビジタ移動端末４１から呼設定受付メッセージを受信する（Ｓ１５５）。
【００９８】
次に、ビジタＰＢＸ１２は、認証要求メッセージをビジタ移動端末４１に送信する（Ｓ１５６）。そして、ビジタ移動端末４１から認証応答メッセージを受信したならば（Ｓ１５７）、ビジタ移動端末４１から呼出メッセージを受信して（Ｓ１５８）、これをホームＰＢＸ１１に転送する（Ｓ１５９）。
【００９９】
次に、ビジタＰＢＸ１２は、ビジタ移動端末４１から応答メッセージを受信したならば（Ｓ１６０）、これをホームＰＢＸ１１に転送すると共に（Ｓ１６１）、ビジタ移動端末４１に応答確認メッセージを返信する（Ｓ１６２）。
【０１００】
さて、ホームＰＢＸ１１は、ビジタＰＢＸ１２から応答メッセージを受信したならば、応答確認メッセージを返信する（Ｓ１６３）。これにより、ビジタ移動端末４１との間に通話路が形成される（Ｓ１６４）。
【０１０１】
図１４は、ホームＰＢＸが収容する内線からローミング中のホーム移動端末を呼び出す場合において、このホーム移動端末がローミング先の無線通信エリアの圏外にいる場合の動作例を説明するためのシーケンス図である。ここでは、ＰＢＸ１１をホームＰＢＸ、ＰＢＸ１２をビジタＰＢＸ、そして、移動端末４１をホームＰＢＸ１１のホーム移動端末（ビジタＰＢＸ１２のビジタ移動端末）としている。
【０１０２】
ホームＰＢＸ１１は、内線からホーム移動端末４１の内線番号を受け付けると（Ｓ１７０）、内線番号管理ＴＬ１５１、位置登録管理ＴＬ１５３、ローミング先管理ＴＬ１５４をチェックし、このホーム移動端末４１がビジタＰＢＸ１２にローミング中のビジタ移動端末４１であることを確認する（Ｓ１７１）。それから、ローミング先電話番号を着番号とする呼設定メッセージをビジタＰＢＸ１２に送信する（Ｓ１７２）。
【０１０３】
ビジタＰＢＸ１２は、ホームＰＢＸ１１から呼設定メッセージを受信すると、呼設定受付メッセージを返信すると共に（Ｓ１７３）、この呼設定メッセージをビジタ移動端末４１に転送する（Ｓ１７４）。このとき、ビジタ移動端末４１が無線通信エリア６２の圏外である場合、呼設定受付メッセージの受信待ち時間がタイムアウトする（Ｓ１７５）。このため、ビジタＰＢＸ１２は、無線基地局３２およびホームＰＢＸ１１のそれぞれに切断メッセージを送信する（Ｓ１７６、Ｓ１７７）。そして、無線基地局３２およびホームＰＢＸ１１のそれぞれから解放メッセージを受信して（Ｓ１７８、Ｓ１７９）、無線基地局３２およびホームＰＢＸ１１のそれぞれに解放完了メッセージを返信する（Ｓ１８０、Ｓ１８１）。
【０１０４】
図１５は、ビジタ移動端末がホームＰＢＸに収容された内線端末を呼び出す場合の動作例を説明するためのシーケンス図である。ここでは、ＰＢＸ１１をホームＰＢＸ、ＰＢＸ１２をビジタＰＢＸ、そして、移動端末４１をビジタＰＢＸ１２のビジタ移動端末（ホームＰＢＸ１１のホーム移動端末）としている。
【０１０５】
ビジタ移動端末４１は、ホームＰＢＸ１１に収容された内線端末の内線番号を受け付けると（Ｓ１９０）、この内線番号を着番号とする呼設定メッセージ（着呼）をビジタＰＢＸ１２に送信する（Ｓ１９１）。
【０１０６】
これを受けて、ビジタＰＢＸ１２は、ビジタ移動端末４１に呼設定受付メッセージを返信する（Ｓ１９２）。また、ビジタ管理ＴＬ１５５をチェックして、このビジタ移動端末４１のホームＰＢＸを確認する。そして、このホームＰＢＸ１１に呼設定メッセージ（着呼）を転送し（Ｓ１９３）、ホームＰＢＸ１１から呼設定受付メッセージを受信する（Ｓ１９４）。
【０１０７】
次に、ビジタＰＢＸ１２は、ホームＰＢＸ１１から呼出メッセージを受信し（Ｓ１９５）、これをビジタ移動端末４１に転送する（Ｓ１９６）。また、ビジタＰＢＸ１２は、ホームＰＢＸ１１から応答メッセージを受信すると（Ｓ１９７）、ホームＰＢＸ１１に応答確認メッセージを返信すると共に（Ｓ１９８）、この応答メッセージをビジタ移動端末４１に転送する（Ｓ１９９）。それから、ビジタＰＢＸ１２は、ビジタ移動端末４１から応答確認メッセージを受信する（Ｓ２００）。これにより、ホームＰＢＸ１１およびビジタ移動端末４１間に通話路が形成される（Ｓ２０１）。
【０１０８】
図１６は、ホームＰＢＸおよびビジタＰＢＸ間でデータ整合チェックが成功した場合の動作例を説明するためのシーケンス図である。ここでは、ＰＢＸ１１をホームＰＢＸ、ＰＢＸ１２をビジタＰＢＸ、そして、移動端末４１をビジタＰＢＸ１２のビジタ移動端末（ホームＰＢＸ１１のホーム移動端末）としている。
【０１０９】
ビジタＰＢＸ１２は、ローミング制御データ１５２のローミングデータ整合性チェック周期１５２２に規定するタイミングになると（Ｓ２１０）、ビジタ管理ＴＬ１５５をチェックし、ビジタ移動端末４１のホームＰＢＸ１１を確認する。そして、ビジタ移動端末４１の内線番号が記述されたデータ整合要求用の呼設定メッセージを生成し、これをホームＰＢＸ１１に送信する（Ｓ２１１）。
【０１１０】
ホームＰＢＸ１１は、ビジタＰＢＸ１２から呼設定メッセージ（データ整合要求）を受信すると、ビジタＰＢＸ１２に呼設定受付メッセージを返信する（Ｓ２１２）。それから、ホームＰＢＸ１１は、ローミング先管理ＴＬ１５４を参照して、呼設定メッセージ（データ整合要求）に記述されている内線番号により特定されるホーム移動端末４１のローミング先が正しいか否かをチェックする（Ｓ２１３）。そして、正しい場合には、データ整合結果ＯＫ用の解放メッセージを生成し、これをビジタＰＢＸ１２に送信する（Ｓ２１４）。
【０１１１】
ビジタＰＢＸ１２は、ホームＰＢＸ１１から解放メッセージ（データ整合ＯＫ）を受信すると、ホームＰＢＸ１１に解放完了メッセージを返信する（Ｓ２１５）。
【０１１２】
図１７は、ホームＰＢＸおよびビジタＰＢＸ間でデータ整合チェックが失敗した場合の動作例を説明するためのシーケンス図である。ここでは、ＰＢＸ１１をホームＰＢＸ、ＰＢＸ１２をビジタＰＢＸ、そして、移動端末４１をビジタＰＢＸ１２のビジタ移動端末（ホームＰＢＸ１１のホーム移動端末）としている。
【０１１３】
ビジタＰＢＸ１２は、ローミング制御データ１５２のローミングデータ整合性チェック周期１５２２に規定するタイミングになると（Ｓ２２０）、ビジタ管理ＴＬ１５５をチェックし、ビジタ移動端末４１のホームＰＢＸ１１を確認する。そして、ビジタ移動端末４１の内線番号が記述されたデータ整合性要求用の呼設定メッセージを生成し、これをホームＰＢＸ１１に送信する（Ｓ２２１）。
【０１１４】
ホームＰＢＸ１１は、ビジタＰＢＸ１２から呼設定メッセージ（データ整合要求）を受信すると、ビジタＰＢＸ１２に呼設定受付メッセージを返信する（Ｓ２２２）。それから、ホームＰＢＸ１１は、ローミング先管理ＴＬ１５４０を参照して、呼設定メッセージ（データ整合要求）に記述されている内線番号により特定されるホーム移動端末４１のローミング先が正しいか否かをチェックする（Ｓ２２３）。そして、正しくない場合には、データ整合結果ＮＧ用の解放メッセージを生成し、これをビジタＰＢＸ１２に送信する（Ｓ２２４）。
【０１１５】
ビジタＰＢＸ１２は、ホームＰＢＸ１１から解放メッセージ（データ整合ＮＧ）を受信すると、ホームＰＢＸ１１に解放完了メッセージを返信する（Ｓ２２５）。
【０１１６】
さて、ビジタＰＢＸ１２は、ローミング制御データ１５２のローミングデータ整合異常再送タイミング１５２４に規定する待ち時間が経過するのを待って、Ｓ２２１に戻り、呼設定メッセージ（データ整合要求）をホームＰＢＸ１１に再送する。この処理を、Ｓ２２４でホームＰＢＸ１１から解放メッセージ（データ整合ＯＫ）を受信するまで繰り返す。あるいは、呼設定メッセージ（データ整合要求）の再送回数がローミングデータ整合異常再送回数１５２３に規定する回数より大きくなるまで繰返す（Ｓ２２６）。
【０１１７】
以上、本発明の実施の形態について説明した。
【０１１８】
本実施の形態では、ホームＰＢＸおよびビジタＰＢＸ間のローミング制御に、呼制御メッセージを利用している。このため、ディジタル公衆網等の通信回線とは別に、ローミング制御のための専用線を設ける必要がない。また、専用のサーバを設ける必要もない。したがって、より安価な構成でローミング通信システムを構築できる。
【０１１９】
また、本実施の形態では、ローミング要求、データ整合要求に呼設定メッセージを利用すると共に、ローミング応答、データ整合結果に解放メッセージを利用することにより、通話路を形成することなく、ローミング情報を交換している。このため、ディジタル公衆網５を利用しても通話料金は発生しない。また、通信シーケンスが少ないため、通信時間が短縮され、効率よくローミング制御を行うことができる。
【０１２０】
なお、本発明は上記の実施形態に限定されるものではなく、その要旨の範囲内で数々の変形が可能である。例えば、ＰＢＸ１ｉの構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１２１】
また、本実施の形態では、ＰＢＸ１ｉ間をディジタル公衆網５で接続する場合を例とり説明したが、本発明はこれに限定されない。ＰＢＸ１ｉ間をＶｏＩＰ網等で接続してもよい。
【図面の簡単な説明】
【０１２２】
【図１】図１は、本発明の一実施の形態が適用された内線移動端末システムの概略図である。
【図２】図２は、ＰＢＸ１ｉの概略構成図である。
【図３】図３（Ａ）は、内線番号管理ＴＬ１５１を模式的に表した図であり、図３（Ｂ）は、ローミング制御データ１５２を模式的に表した図であり、図３（Ｃ）は、位置登録管理ＴＬ１５３を模式的に表した図であり、図３（Ｄ）は、ローミング先管理ＴＬ１５４を模式的に表した図であり、そして、図３（Ｅ）は、ビジタ管理ＴＬ１５５を模式的に表した図である。
【図４】図４（Ａ）は、ローミング要求の通信フォーマットを模式的に表した図であり、図４（Ｂ）は、ローミング応答の通信フォーマットを模式的に表した図である。
【図５】図５は、ＰＢＸ１ｉの動作を説明するためのフロー図である。
【図６】図６は、図５に示す位置登録処理Ａ（Ｓ３）を説明するためのフロー図である。
【図７】図７は、図５に示す位置登録処理Ｂ（Ｓ４）を説明するためのフロー図である。
【図８】図８は、図５に示す整合チェック処理Ａ（Ｓ６）を説明するためのフロー図である。
【図９】図９は、図５に示す整合チェック処理Ｂ（Ｓ８）を説明するためのフロー図である。
【図１０】図１０は、図５に示す発信処理（Ｓ１０）を説明するためのフロー図である。
【図１１】図１１は、ビジタ移動端末がビジタＰＢＸに位置登録要求を依頼した場合において、ホームＰＢＸがローミング応答した場合の動作例を説明するためのシーケンス図である。
【図１２】図１２は、ビジタ移動端末がビジタＰＢＸに位置登録要求を依頼した場合において、ホームＰＢＸがローミング応答しなかった場合の動作例を説明するためのシーケンス図である。
【図１３】図１３は、ホームＰＢＸが収容する内線からローミング中のホーム移動端末を呼び出す場合において、このホーム移動端末がローミング先の無線通信エリアの圏内にいる場合の動作例を説明するためのシーケンス図である。
【図１４】図１４は、ホームＰＢＸが収容する内線からローミング中のホーム移動端末を呼び出す場合において、このホーム移動端末がローミング先の無線通信エリアの圏外にいる場合の動作例を説明するためのシーケンス図である。
【図１５】図１５は、ビジタ移動端末がホームＰＢＸに収容された内線端末を呼び出す場合の動作例を説明するためのシーケンス図である。
【図１６】図１６は、ホームＰＢＸおよびビジタＰＢＸ間でデータ整合チェックが成功した場合の動作例を説明するためのシーケンス図である。
【図１７】図１７は、ホームＰＢＸおよびビジタＰＢＸ間でデータ整合チェックが失敗した場合の動作例を説明するためのシーケンス図である。
【符号の説明】
【０１２３】
１ｉ：ＰＢＸ、２ｉ：内線端末、３ｉ：無線基地局、４ｉ：内線移動端末、５：ディジタル公衆網、６ｉ：無線通信エリア、１１：内線端末ＩＦ部、１２：無線基地局ＩＦ部、１３：ディジタル回線ＩＦ部、１４：通話路スイッチ部、１５：記憶部、１６：主制御部、１５１：内線番号管理ＴＬ、１５２：ローミング制御データ、１５３：位置登録管理ＴＬ、１５４：ローミング先管理ＴＬ、１５５：ビジタ管理ＴＬ
【図１】
2008219666.tif 000003
【図２】
2008219666.tif 000004
【図３】
2008219666.tif 000005
【図４】
2008219666.tif 000006
【図５】
2008219666.tif 000007
【図６】
2008219666.tif 000008
【図７】
2008219666.tif 000009
【図８】
2008219666.tif 000010
【図９】
2008219666.tif 000011
【図１０】
2008219666.tif 000012
【図１１】
2008219666.tif 000013
【図１２】
2008219666.tif 000014
【図１３】
2008219666.tif 000015
【図１４】
2008219666.tif 000016
【図１５】
2008219666.tif 000017
【図１６】
2008219666.tif 000018
【図１７】
2008219666.tif 000019